(57)【要約】【課題】巻取リールによる長尺物の巻取りを容易に行うことができる巻取補助装置を提供する。【解決手段】巻取補助装置１は、巻取リール２におけるドラム２１への長尺物２２の巻き取り作業を補助する装置である。巻取補助装置１は、リール固定部３と回転伝達部４とモータ５とを備える。リール固定部３は、巻取リール２を固定する。回転伝達部４は、リール固定部３に固定される巻取リール２のドラム２１に係合可能であるとともに回転可能に設けられている。モータ５は、回転伝達部４に回転駆動力を伝える。巻取補助装置１は、モータ５の駆動により、回転伝達部４を介してドラム２１を回転させ、ドラム２１への長尺物２２の巻き取りを行うよう構成されている。【選択図】図９
0003221522.tif 000002
【実用新案登録請求の範囲】
【請求項１】
回転可能なドラムに長尺物を巻回可能に設けられた巻取リールにおける前記ドラムへの前記長尺物の巻取作業を補助する巻取補助装置であって、
前記巻取リールを固定するリール固定部と、
前記リール固定部に固定される前記巻取リールの前記ドラムに係合可能であるとともに回転可能に設けられた回転伝達部と、
前記回転伝達部に回転駆動力を伝えるモータと、を備え、
前記モータの駆動により、前記回転伝達部を介して前記ドラムを回転させ、前記ドラムへの前記長尺物の巻き取りを行うよう構成されている、巻取補助装置。
【請求項２】
前記モータは、そのモータ回転軸が前記ドラムの回転軸であるドラム回転軸に沿い、かつ、前記モータの駆動により前記モータが前記回転伝達部を介して前記ドラムを回転させる第一姿勢と、前記第一姿勢の際と前記モータ回転軸の方向を異なる方向に向けた第二姿勢との間で移動可能に構成されている、請求項１に記載の巻取補助装置。
【請求項３】
前記巻取補助装置に装着される付属部材をさらに有し、
前記付属部材は、前記第二姿勢において前記モータから回転駆動力を受けて回転することにより、長尺物を巻取可能な付属巻取部を有する、請求項２に記載の巻取補助装置。
【請求項４】
前記モータと前記回転伝達部とは、互いに別体であり、
前記モータは、前記モータ回転軸に設けられたモータ係合部を有し、
前記回転伝達部は、その伝達回転軸に設けられた伝達係合部を有し、
前記付属巻取部は、その付属回転軸に設けられた付属係合部を有し、
前記モータが前記第一姿勢のとき、前記モータ係合部と前記伝達係合部とが係合し、前記モータが前記第一姿勢から前記第二姿勢に移動するとき、前記モータ係合部と前記伝達係合部との係合が解除され、かつ、
前記モータが前記第二姿勢のとき、前記モータ係合部と前記付属係合部とが係合し、前記モータが前記第二姿勢から前記第一姿勢に移動するとき、前記モータ係合部と前記付属係合部との係合が解除される、請求項３に記載の巻取補助装置。
【請求項５】
前記モータ係合部と、前記伝達係合部及び前記付属係合部のそれぞれと、の一方は、複数の区画壁と複数の前記区画壁により回転方向に区画された複数の挿入空間とを有し、
前記モータ係合部と、前記回転伝達部及び前記付属係合部のそれぞれと、の他方は、前記挿入空間に挿入可能に構成されており、
前記モータが前記第一姿勢のとき、前記モータ係合部及び前記伝達係合部の一方が他方の前記挿入空間に挿入されることにより前記モータ係合部と前記伝達係合部とが係合し、前記モータが前記第一姿勢から前記第二姿勢に移動するとき、前記モータ係合部及び前記伝達係合部の一方が他方の前記挿入空間の外部に移動することにより、前記モータ係合部と前記伝達係合部との係合が解除され、
前記モータが前記第二姿勢のとき、前記モータ係合部及び前記付属係合部の一方が他方の前記挿入空間に挿入されることにより前記モータ係合部と前記付属係合部とが係合し、前記モータが前記第二姿勢から前記第一姿勢に移動するとき、前記モータ係合部及び前記付属係合部の一方が他方の前記挿入空間の外部に移動することにより、前記モータ係合部と前記付属係合部との係合が解除される、請求項４に記載の巻取補助装置。
【請求項６】
前記第一姿勢は、前記モータの回転軸が水平方向に沿う方向となる姿勢であり、
前記第二姿勢は、前記モータの回転軸が鉛直方向に沿う方向となる姿勢であり、
前記付属巻取部は、巻き取られる長尺物を下側から支える支持部と、前記支持部から上側に立設するとともに、長尺物を外周側に巻き取る立設部とを有する、請求項３〜５のいずれか一項に記載の巻取補助装置。
【考案の詳細な説明】
【技術分野】
【０００１】
本考案は、巻取リールにおけるドラムへの長尺物の巻き取り作業を補助する巻取補助装置に関する。
【背景技術】
【０００２】
特許文献１には、ホースや電源コード等の長尺物を巻き取ることによって長尺物をコンパクトに収容する巻取リールが開示されている。巻取リールは、ドラム支持体と、ドラム支持体によって回転可能に支持され、外周部に長尺物を巻取可能なドラムと、ドラムを回転させるためのハンドルとを備える。巻取リールの使用者は、手動でハンドルを回転操作することにより、ドラムを回転させて長尺物をドラムに巻き取ることができる。
【先行技術文献】
【特許文献】
【０００３】
【特許文献１】特開２００８−６３１２８号公報
【考案の概要】
【考案が解決しようとする課題】
【０００４】
長尺物を含む巻取リールは、リース品等の貸出品として利用される場合がある。この場合、貸出後、貸主に返却された巻取リールに巻き取られた長尺物は、貸出期間中における使用によって汚れているため、再度貸し出す前にメンテナンスをする必要がある。
【０００５】
当該メンテナンスにおいては、返却された巻取リールから長尺物を引き出す引出工程と、引き出された長尺物を洗浄する洗浄工程と、洗浄後の長尺物を再度巻取リールに巻き取る巻戻工程とが行われる。
【０００６】
ここで、前記巻戻工程において、手動で巻取リールのハンドルを回して洗浄後の長尺物を巻取リールに巻き取っていたのでは、巻戻工程の効率を向上させ難い。特に、返却された巻取リールを多数メンテナンスする場合において、個々の巻取リールのハンドルを手動で回して長尺物を巻き取っていたのでは巻戻工程の効率が悪い。
【０００７】
本考案は、かかる課題に鑑みてなされたものであり、巻取リールによる長尺物の巻取りを容易に行うことができる巻取補助装置を提供しようとするものである。
【課題を解決するための手段】
【０００８】
本考案の一態様は、回転可能なドラムに長尺物を巻回可能に設けられた巻取リールにおける前記ドラムへの前記長尺物の巻取作業を補助する巻取補助装置であって、
前記巻取リールを固定するリール固定部と、
前記リール固定部に固定される前記巻取リールの前記ドラムに係合可能であるとともに回転可能に設けられた回転伝達部と、
前記回転伝達部に回転駆動力を伝えるモータと、を備え、
前記モータの駆動により、前記回転伝達部を介して前記ドラムを回転させ、前記ドラムへの前記長尺物の巻き取りを行うよう構成されている、巻取補助装置にある。
【考案の効果】
【０００９】
前記態様の巻取補助装置は、モータの駆動により、回転伝達部を介してドラムを回転させ、ドラムへの長尺物の巻き取りを行うよう構成されている。それゆえ、巻取補助装置により、モータの回転力で自動的に巻取リールのハンドルを回転させ、巻取リールに長尺物を巻き付けることができる。これにより、例えばリース等により貸し出した巻取リールのメンテナンス時において、洗浄した長尺物を巻取リールに巻き取る作業を容易にすることができる。これに伴い、多数の巻取リールのメンテナンスも、効率的に行うことができる。
【００１０】
以上のごとく、前記態様によれば、巻取リールによる長尺物の巻取りを容易に行うことができる巻取補助装置を提供することできる。
【図面の簡単な説明】
【００１１】
【図１】実施例１における、モータが第一姿勢であるときの巻取補助装置の側面図。
【図２】実施例１における、モータが第一姿勢であるときの巻取補助装置の平面図。
【図３】実施例１における、モータ係合部を回転伝達部側から見た図に、モータ係合部に係合された伝達係合部又は付属係合部の断面を表した図。
【図４】実施例１における、伝達リール係合部をリール固定部側から見た図に、伝達リール係合部に係合されたリールハンドルの断面を表した図。
【図５】実施例１における、リールスペースに巻取リールを配置した様子を示す、巻取リール及び巻取補助装置の平面図。
【図６】実施例１における、巻取リールのＹ方向の位置決めがされた様子を示す巻取リール及び巻取補助装置の平面図。
【図７】実施例１における、巻取リールのＸ方向の位置決めがされた様子を示す巻取リール及び巻取補助装置の平面図。
【図８】実施例１における、巻取リールのＸ方向の位置決めがされた様子を示す巻取リール及び巻取補助装置の側面図。
【図９】実施例１における、モータ、回転伝達部、及び巻取リール周辺を拡大した、一部断面側面図であって、モータ係合部、回転伝達部、及び巻取リールのリールハンドルが回転している様子を説明する図。
【図１０】実施例１における、モータが第二姿勢であるときの巻取補助装置の側面図。
【図１１】実施例１における、付属部材の正面図。
【図１２】実施例１における、付属部材の底面図。
【図１３】実施例１における、付属部材が取り付けられた巻取補助装置の側面図。
【図１４】実施例１における、付属部材が取り付けられた巻取補助装置の平面図。
【図１５】実施例１における、モータ及び付属部材の一部断面側面図であって、モータ係合部及び付属巻取部が回転している様子を説明する図。
【考案を実施するための形態】
【００１２】
前記巻取補助装置のリール固定部に固定される巻取リールは、電源コードを巻き取るためのもの（いわゆるコードリール）や、その他、ホースやロープ等の長尺物を巻き取るためのものとすることが可能である。巻取リールは、そのフレームを構成するリールフレームと、リールフレームに対して回動可能に保持されたドラムとを備える。そして、ドラムには、ドラムの側面から法線方向に突出するリールハンドルが形成されている。リールハンドルを回転することでドラムも回転するよう構成されている。
【００１３】
また、前記モータは、そのモータ回転軸が前記ドラムの回転軸であるドラム回転軸に沿い、かつ、前記モータの駆動により前記モータが前記回転伝達部を介して前記ドラムを回転させる第一姿勢と、前記第一姿勢の際と前記モータ回転軸の方向を異なる方向に向けた第二姿勢との間で移動可能に構成されていることが好ましい。
【００１４】
この場合、第一姿勢においてモータを駆動することで、巻取リールにおけるドラムへの長尺物の巻取作業を補助することができ、モータを第二姿勢にすることで、モータを他の用途に利用することができる。
【００１５】
また、前記巻取補助装置は、前記巻取補助装置に装着される付属部材をさらに有し、
前記付属部材は、前記第二姿勢において前記モータから回転駆動力を受けて回転することにより、長尺物を巻取可能な付属巻取部を有することが好ましい。
【００１６】
ここで、例えば巻取リールのリース業者は、巻取リールのリースだけではなく、電源コード、延長コード、ホース、ロープ等の長尺物の単品でのリースも行うことがある。この場合、リース等により貸し出した長尺物のメンテナンス時において、洗浄した長尺物を付属巻取部に巻取り、洗浄後の長尺物をコンパクトなサイズにすることができる。
【００１７】
また、前記モータと前記回転伝達部とは、互いに別体であり、
前記モータは、前記モータ回転軸に設けられたモータ係合部を有し、
前記回転伝達部は、その伝達回転軸に設けられた伝達係合部を有し、
前記付属巻取部は、その付属回転軸に設けられた付属係合部を有し、
前記モータが前記第一姿勢のとき、前記モータ係合部と前記伝達係合部とが係合し、前記モータが前記第一姿勢から前記第二姿勢に移動するとき、前記モータ係合部と前記伝達係合部との係合が解除され、かつ、
前記モータが前記第二姿勢のとき、前記モータ係合部と前記付属係合部とが係合し、前記モータが前記第二姿勢から前記第一姿勢に移動するとき、前記モータ係合部と前記付属係合部との係合が解除されることが好ましい。
【００１８】
この場合、モータを第一姿勢と第二姿勢との間を移動させることで、巻取リールにおけるドラムへの長尺物の巻取作業を補助する巻取補助装置の使用状態と、付属部材の付属巻取部に長尺物を巻き取る巻取補助装置の使用状態とを、容易に変更することができる。
【００１９】
また、モータ係合部と、前記伝達係合部及び前記付属係合部のそれぞれと、の一方は、複数の区画壁と複数の前記区画壁により回転方向に区画された複数の挿入空間とを有し、
前記モータ係合部と、前記回転伝達部及び前記付属係合部のそれぞれと、の他方は、前記挿入空間に挿入可能に構成されており、
前記モータが前記第一姿勢のとき、前記モータ係合部及び前記伝達係合部の一方が他方の前記挿入空間に挿入されることにより前記モータ係合部と前記伝達係合部とが係合し、前記モータが前記第一姿勢から前記第二姿勢に移動するとき、前記モータ係合部及び前記伝達係合部の一方が他方の前記挿入空間の外部に移動することにより、前記モータ係合部と前記伝達係合部との係合が解除され、
前記モータが前記第二姿勢のとき、前記モータ係合部及び前記付属係合部の一方が他方の前記挿入空間に挿入されることにより前記モータ係合部と前記付属係合部とが係合し、前記モータが前記第二姿勢から前記第一姿勢に移動するとき、前記モータ係合部及び前記付属係合部の一方が他方の前記挿入空間の外部に移動することにより、前記モータ係合部と前記付属係合部との係合が解除されることが好ましい。
【００２０】
この場合、モータを第一姿勢と第二姿勢との間で移動させることにより、モータ係合部と伝達係合部との係合及びその解除、並びに、モータ係合部と付属係合部との係合及びその解除を容易に実現することができる。
【００２１】
また、前記第一姿勢は、前記モータの回転軸が水平方向に沿う方向となる姿勢であり、
前記第二姿勢は、前記モータの回転軸が鉛直方向に沿う方向となる姿勢であり、
前記付属巻取部は、巻き取られる長尺物を下側から支える支持部と、前記支持部から上側に立設するとともに、長尺物を外周側に巻き取る立設部とを有することが好ましい。
【００２２】
この場合、第一姿勢は、モータ回転軸が、通常使用される巻取リールの姿勢における巻取リールの回転軸と同じ方向となる姿勢である。それゆえ、巻取リールを、通常使用される姿勢でリール固定部に装着すれば、モータの回転力を巻取リールに伝えることができる。さらに、第二姿勢においては、立設部において上下方向に直交する周方向に巻き取った長尺物を、支持部において重力方向の下側から支えることができる。それゆえ、付属巻取部によって巻き取った長尺物を安定して保持することができる。
【実施例】
【００２３】
（実施例１）
巻取補助装置１の実施例につき、図１〜図１５を用いて説明する。
本例の巻取補助装置１は、図９に示すごとく、巻取リール２におけるドラム２１への長尺物２２の巻き取り作業を補助する装置である。
【００２４】
巻取補助装置１は、図１、図２に示すごとく、リール固定部３と回転伝達部４とモータ５とを備える。図７に示すごとく、リール固定部３は、巻取リール２を固定する。回転伝達部４は、リール固定部３に固定される巻取リール２のドラム２１に係合可能であるとともに回転可能に設けられている。図９に示すごとく、モータ５は、回転伝達部４に回転駆動力を伝える。そして、巻取補助装置１は、モータ５の駆動により、回転伝達部４を介してドラム２１を回転させ、ドラム２１への長尺物２２の巻き取りを行うよう構成されている、
以後、本例につき詳説する。
【００２５】
まず、本例の巻取補助装置１の用途につき説明する。
本例の巻取補助装置１は、例えば電源コードを巻き取ったコードリール等の巻取リール２をリースしたり、電源コード、延長コード、ホース、ロープ等の長尺物２２を単品でリースしたりするリース業者によって使用されるものとすることができる。具体的には、返却された巻取リール２のメンテナンス作業や、返却された単品の長尺物２２のメンテナンス作業に、本例の巻取補助装置１が用いられる。以後、巻取リール２に巻回される長尺物２２を、リール長尺物２２１といい、単品でリースされる長尺物２２を単品長尺物２２２と呼ぶ。
【００２６】
ここで、貸し出された巻取リール２がリース業者に返却されたとき、巻取リール２に巻き取られたリール長尺物２２１は、貸出期間中における使用によって汚れている。そのため、リース業者は、当該巻取リール２を再度貸し出す前に、リール長尺物２２１の洗浄等のメンテナンスを行う。
【００２７】
当該メンテナンス作業としては、例えば、引出工程と洗浄工程と巻戻工程とが、この順に行われる。引出工程においては、返却された巻取リール２から汚れたリール長尺物２２１がすべて引き出される。洗浄工程においては、引き出したリール長尺物２２１が洗浄される。巻戻工程においては、保管された洗浄後のリール長尺物２２１が再度巻取リール２に巻き取られる。
【００２８】
このメンテナンス作業のうち、巻戻工程において、本例の巻取補助装置１が使用される。巻戻工程においては、図７、図８に示すごとく、巻取補助装置１のリール固定部３に巻取リール２を装着する。これにより、巻取リール２のドラム２１の側面からドラム２１の軸方向に突出するよう形成されたリールハンドル２１１が、回転伝達部４に係合する。そして、図９に示すごとく、モータ５の力で回転伝達部４を介して巻取リール２のリールハンドル２１１を回すことで、ドラム２１が回転し、リール長尺物２２１がドラム２１に巻き取られる。
【００２９】
また、貸し出された単品長尺物２２２がリース業者に返却されたときも、リース業者は、当該単品長尺物２２２を再度貸し出す前に、単品長尺物２２２の洗浄等のメンテナンスを行う。当該メンテナンス作業としては、例えば洗浄工程とコンパクト化工程とが行われる。洗浄工程においては、単品長尺物２２２が洗浄され、コンパクト化工程においては、洗浄後の単品長尺物２２２がコンパクト化され、所定の場所に一時的に保管される。
【００３０】
そして、このメンテナンス作業のうち、コンパクト化工程においても、本例の巻取補助装置１が使用される。コンパクト化工程においては、図１３〜図１５に示すごとく、巻取補助装置１に後述の付属部材６を組み付け、モータ５の力で付属部材６を回転させ、付属部材６に単品長尺物２２２を巻き取る。これにより、単品長尺物２２２を全体的にコンパクトにすることができる。
以上のような用途で、本例の巻取補助装置１を使用することができる。
【００３１】
次に、本例の巻取補助装置１の構成につき、説明する。
なお、本明細書においては、鉛直方向を上下方向Ｚという。また、本明細書において、上方、下方とは、鉛直方向の上方、下方を意味するものとする。
【００３２】
図１、図２に示すごとく、本例の巻取補助装置１は、載置台７を備える。載置台７は、上面にモータ５、及びモータ５とは別体の回転伝達部４を載置する長方形板状の天板部７１と、天板部７１の四隅から下方に突出した脚部７２とを備え、全体としてテーブル状を呈している。
【００３３】
モータ５は、図示しないステータ、ロータをハウジング内に収容してなるモータ本体５１と、モータ軸方向Ｄの一方側に位置するとともに、ロータの回転に伴って回転するモータ係合部５２とを備える。モータ軸方向Ｄは、モータ５におけるロータの回転軸が延在する方向である。
【００３４】
モータ本体５１のハウジングは、箱状のモータフレーム５３の一面に固定されている。そして、図１に示すごとく、モータフレーム５３は、ヒンジ１１を介して載置台７に固定されている。ヒンジ１１は、モータフレーム５３におけるモータ５が配された面から遠い側の端部であって、かつ、モータ軸方向Ｄにおけるモータ係合部５２側と反対側の端部に設けられている。
【００３５】
図１０に示すごとく、モータフレーム５３は、ヒンジ１１を軸に、回動できるよう構成されており、これに伴い、モータ５は、後述の第一姿勢と第二姿勢との間を回動することができるよう構成されている。
【００３６】
図８に示すごとく、第一姿勢は、モータ回転軸がリール固定部３に装着された巻取リール２のドラム２１の回転軸であるドラム回転軸に沿う姿勢である。本例において、第一姿勢は、モータ回転軸が水平方向となる姿勢である。図９に示すごとく、モータ５は、第一姿勢において駆動されることにより、回転伝達部４を介してドラム２１を回転させる。第一姿勢においては、モータフレーム５３におけるモータ５が配された面と反対側が、載置台７の天板部７１に当接する。
【００３７】
図１０に示すごとく、第二姿勢は、第一姿勢におけるモータ５に対し、モータ回転軸の方向を異なる方向に向けた姿勢である。本例において、第二姿勢は、モータ５のモータ係合部５２が、モータ本体５１の上側に位置し、モータ軸方向Ｄが上下方向Ｚとなる姿勢である。図１５に示すごとく、付属部材６が巻取補助装置１に取り付けられた状態において、モータ５は、第二姿勢において駆動されることにより、付属部材６の後述の付属巻取部６１を回転させる。図１３に示すごとく、第二姿勢においては、モータ軸方向Ｄにおける、モータフレーム５３のモータ係合部５２から遠い側の端部が、載置台７の天板部７１に当接する。モータ５の前述の各姿勢（第一姿勢、第二姿勢）は、例えばモータフレーム５３をクランプ等で載置台７に固定することで、維持することができる。
【００３８】
モータ係合部５２は、モータ回転軸に設けられている。図３に示すごとく、モータ係合部５２は、複数の区画壁５２１と複数の区画壁５２１により回転方向に区画された複数の挿入空間５２２とを有する。区画壁５２１は、モータ係合部５２の回転方向の３か所に、等間隔（１２０°置き）で配されている。区画壁５２１は、モータ５の径方向にまっすぐ形成されているとともに、モータ係合部５２の回転方向に厚みを有する板状に形成されている。挿入空間５２２は、モータ係合部５２の回転方向に隣り合う区画壁５２１の間に形成された空間である。図９に示すごとく、第一姿勢において、挿入空間５２２に回転伝達部４の後述の伝達係合部４１が挿入される。
【００３９】
図１、図９に示すごとく、回転伝達部４は、伝達フレーム４２を介して載置台７に固定されている。回転伝達部４は、伝達フレーム４２に対して回転可能に保持されている。回転伝達部４は、その回転軸である伝達回転軸を、第一姿勢におけるモータ軸方向Ｄと平行にしており、第一姿勢におけるモータ軸方向Ｄの一方側に配されている。以後、伝達回転軸が延在する方向を、Ｘ方向という。Ｘ方向は、第一姿勢におけるモータ軸方向Ｄと一致している。また、Ｘ方向及び上下方向Ｚに直交する方向をＹ方向という。
【００４０】
図９に示すごとく、回転伝達部４は、伝達係合部４１と伝達回転軸と伝達リール係合部４３とを有する。伝達係合部４１は、回転伝達部４におけるＸ方向のモータ５が配された側に突出するよう形成されている。モータ５が第一姿勢のとき、伝達係合部４１は、モータ係合部５２の挿入空間５２２に挿入されることによりモータ係合部５２と係合する。この係合状態において、モータ５が駆動されることにより、モータ係合部５２の区画壁５２１が伝達係合部４１に当接して伝達係合部４１を回転させる。すなわち、モータ係合部５２と他の部位とが係合する、とは、モータ５が駆動されたときにモータ係合部５２と当該他の部位とが当接し得る状態をいう。伝達係合部４１は、回転伝達部４の回転軸である伝達回転軸に設けられている。モータ係合部５２の回転力は、伝達回転軸によって伝達リール係合部４３に伝達される。
【００４１】
図４に示すごとく、伝達リール係合部４３は、円盤部４３１と４つの羽部４３２と囲み部４３３とを備える。円盤部４３１は、伝達回転軸に固定されるとともに、伝達回転軸から外周側に突出するよう、中央に孔が開いた円盤状に形成されている。
【００４２】
図９に示すごとく、羽部４３２は、円盤部４３１の伝達係合部４１側と反対側の面に接続されている。図４に示すごとく、４つの羽部４３２は、回転伝達部４の回転方向に等間隔（９０°置き）に配されている。羽部４３２は、回転伝達部４の径方向にまっすぐ形成されているとともに、回転伝達部４の回転方向に厚みを有する板状に形成されている。そして、４つの羽部４３２の外周側に、囲み部４３３が接合されている。囲み部４３３は、４つの羽部４３２を外周側から囲むよう、４つの羽部４３２の外周端部に接合されている。
【００４３】
図１、図２に示すごとく、載置台７の上面における回転伝達部４におけるＸ方向の一方側に、巻取リール２を配置するためのリールスペース１０と、リール固定部３とが形成されている。リールスペース１０は、Ｘ方向における回転伝達部４のモータ５側と反対側に隣接している。
【００４４】
リール固定部３は、第一スライド板３１と第二スライド板３２とを備える。図２に示すごとく、第一スライド板３１は、載置台７の上面におけるＹ方向のリールスペース１０の両側に配されている。図７に示すごとく、一対の第一スライド板３１は、リールスペース１０に巻取リール２が配された状態において、Ｙ方向に巻取リール２と対向するよう形成されている。
【００４５】
図５に示すごとく、第一スライド板３１は、載置台７に設けられたセンター出しハンドル３１１を例えば手動で回転させることにより、図示しない送りネジが回転し、当該送りネジによりＹ方向に送り出されるよう構成されている。一対の第一スライド板３１は、センター出しハンドル３１１を一方側に回転させることにより、互いにＹ方向に近付くようスライドし、センター出しハンドル３１１を他方側に回転させることにより、互いにＹ方向に離れるようスライドする。一対の第一スライド板３１は、リールスペース１０に配される巻取リール２のドラム回転軸と、回転伝達部４の伝達回転軸の位置とを、Ｙ方向において合わせるために用いられる。
【００４６】
図２に示すごとく、第二スライド板３２は、載置台７の上面におけるリールスペース１０のＸ方向における回転伝達部４と反対側に配されている。図７、図８に示すごとく、第二スライド板３２は、リールスペース１０に巻取リール２が配された状態において、Ｘ方向に巻取リール２と対向するよう形成されている。第二スライド板３２は、例えば手動でＸ方向にスライド可能に構成されている。第二スライド板３２は、リールスペース１０に配される巻取リール２を、Ｘ方向における回転伝達部４側に押すことで、Ｘ方向における巻取リール２の位置を調整するために用いられる。第二スライド板３２は、例えば図示しないクランプ等により、スライド不能に載置台７に固定することができる。
【００４７】
また、図１１、図１３、図１５に示すごとく、巻取補助装置１は、載置台７の天板部７１に脱着可能に取り付けられる付属部材６を備える。付属部材６は、前述したリース業者が行う単品長尺物２２２のメンテナンス工程のうちのコンパクト化工程において、載置台７に組み付けられて用いられる。
【００４８】
図１５に示すごとく、付属部材６は、載置台７に取り付けられる付属フレーム６２と、付属フレーム６２に対して回転可能に保持された付属巻取部６１とを有する。付属フレーム６２は、下側に開口するＵ字状に形成されており、その下端部において、図示しないクランプ等によって載置台７の天板部７１に固定される。Ｕ字状の付属フレーム６２の天壁６２１に対して、回動可能に付属巻取部６１が取り付けられている。
【００４９】
付属巻取部６１は、モータ５からの回転駆動力により回転するよう構成されている。また、付属巻取部６１は、回転することで単品長尺物２２２を巻き取ることができるよう構成されている。図１１、図１４、図１５に示すごとく、付属巻取部６１は、付属係合部６１１と付属回転軸と支持部６１２と立設部６１３とを備える。
【００５０】
図１１、図１２、図１５に示すごとく、付属係合部６１１は、付属フレーム６２の天壁６２１よりも下側に突出するよう形成されている。図１５に示すごとく、モータ５が第二姿勢のとき、付属係合部６１１は、モータ係合部５２の挿入空間５２２に挿入されることにより、モータ係合部５２と係合する。この係合状態において、モータ５が駆動されることにより、モータ係合部５２の区画壁５２１が付属係合部６１１に当接して付属係合部６１１を回転させる。付属係合部６１１は、付属回転軸に設けられている。付属係合部６１１の回転力は、付属回転軸によって支持部６１２に伝達される。
【００５１】
支持部６１２は、付属回転軸に固定されるとともに、付属回転軸から外周側に突出するよう形成され、付属巻取部６１に巻回される単品長尺物２２２を下側から支える。図１４に示すごとく、支持部６１２は、十字部６１２ａと筒状部６１２ｂとを備える。
【００５２】
十字部６１２ａは、上下方向Ｚから見たときの形状が十字状となるよう形成されている。そして、十字部６１２ａは、十字状の交点部が、付属回転軸に固定されている。
【００５３】
図１４に示すごとく、筒状部６１２ｂは、十字部６１２ａを外周側から囲むとともに十字部６１２ａの交点部から延びる４つの辺部の端部が接続されている。図１１、図１５に示すごとく、筒状部６１２ｂの上部は、十字部６１２ａよりも上側に位置している。これにより、付属巻取部６１に巻き取られた単品長尺物２２２が付属巻取部６１から落ちにくくなっている。そして、十字部６１２ａに、立設部６１３が組み付けられている。
【００５４】
立設部６１３は、棒状を呈しており、図１４に示すごとく、十字部６１２ａに対して４つ組み付けられている。図１５に示すごとく、立設部６１３は、支持部６１２から上方に立設する。立設部６１３は、単品長尺物２２２を周方向に巻き取るためのものである。十字部６１２ａの交点部から延びる４つの辺部のそれぞれには、上側に開放された孔部が形成されている。孔部は、各辺の略中央部に形成されている。そして、立設部６１３は、孔部に脱着可能に挿入されている。
【００５５】
次に、図５〜図９を用いて、リース業者によって行われる、巻取リール２のメンテナンス作業の一例につき説明する。前述のごとく、巻取リール２のメンテナンス作業においては、引出工程と洗浄工程と巻戻工程とがこの順で行われる。
【００５６】
図５に示すごとく、本メンテナンス作業においては、モータ５が第一姿勢で載置台７にクランプ等で固定され、これにより、モータ係合部５２と伝達係合部４１とを係合させる。そして、本メンテナンス作業の引出工程においては、巻取リール２がリールスペース１０に配される。巻取リール２は、リールハンドル２１１がＸ方向における回転伝達部４側に向かって突出する姿勢で配される。
【００５７】
そして、センター出しハンドル３１１が所定方向に回転することで、一対の第一スライド板３１が互いに近付き、巻取リール２のドラム回転軸が回転伝達部４の伝達回転軸と揃えられる。そして、図６に示すごとく、第二スライド板３２がＸ方向の回転伝達部４側に手動でスライドされ、巻取リール２のＸ方向の位置決めがなされる。これにより、図４に示すごとく、巻取リール２のリールハンドル２１１が回転伝達部４の伝達リール係合部４３のハンドル挿入空間４４に挿入される。ハンドル挿入空間４４は、伝達リール係合部４３において、回転伝達部４の回転方向に隣り合う羽部４３２の間に形成された空間である。そして、この状態において、第二スライド板３２は、クランプ等で載置台７に固定される。これにより、巻取補助装置１は、図７、図８に示す状態となる。
【００５８】
そして、この状態において、巻取リール２に巻き取られたリール長尺物２２１を全て引き出し、次いで、引き出されたリール長尺物２２１を洗浄する洗浄工程を行う。次いで、洗浄後のリール長尺物２２１を、巻取補助装置１を用いて巻取リール２に巻き戻す巻戻工程を行う。
【００５９】
巻戻工程においては、図９に示すごとく、モータ５を駆動し、モータ係合部５２を回転させる。モータ係合部５２が回転することにより、モータ係合部５２の区画壁５２１が回転伝達部４の伝達係合部４１に当接するとともに伝達係合部４１が回転する。
【００６０】
これに伴い、伝達リール係合部４３が、伝達回転軸を介して伝達係合部４１の回転力を受けて回転し、伝達リール係合部４３の羽部４３２が巻取リール２のリールハンドル２１１に当接するとともにリールハンドル２１１を回転させる。これにより、巻取リール２のドラム２１が回転し、巻取リール２にリール長尺物２２１が巻き回される。
以上のように、巻取リール２のメンテナンス作業が行われる。
【００６１】
次に、図１０〜図１５を用いて、リース業者によって行われる、単品長尺物２２２のメンテナンス作業のうちのコンパクト化工程の一例につき説明する。前述のごとく、コンパクト化工程は、洗浄後の単品長尺物２２２をコンパクト化し、所定の場所に一時的に保管する工程である。
【００６２】
図１０に示すごとく、コンパクト化工程においては、モータ５の姿勢が第一姿勢から第二姿勢に回動され、モータ５が第二姿勢で、クランプ等によって載置台７に固定される。このとき、伝達係合部４１がモータ係合部５２の挿入空間５２２の外部に配されることで、伝達係合部４１とモータ係合部５２との係合が解除される。
【００６３】
そして、載置台７に図１１に示す付属部材６を組み付け、載置台７にクランプ等で固定し、図１３、図１４に示す状態にする。これにより、図３に示すごとく、付属係合部６１１がモータ係合部５２の挿入空間５２２に挿入され、モータ係合部５２と付属係合部６１１とが係合する。
【００６４】
この状態において、単品長尺物２２２の一端をモータ係合部５２に保持させるとともに、図１５に示すごとくモータ５を駆動し、モータ係合部５２を回転させる。モータ係合部５２が回転することにより、モータ係合部５２の区画壁５２１が、付属部材６の付属係合部６１１に当接するとともに付属係合部６１１が回転する。
【００６５】
これに伴い、支持部６１２及び立設部６１３が付属係合部６１１の回転力を受けて回転し、単品長尺物２２２が、付属部材６の付属巻取部６１における支持部６１２の上側であって、４つの立設部６１３の外周部に巻回される。巻回後は、４つの立設部６１３を支持部６１２から抜き出すことで、巻回してコンパクト化された単品長尺物２２２を付属部材６から容易に取り出すことができる。
以上のように、コンパクト化工程が行われる。
【００６６】
なお、モータ５の姿勢が第二姿勢から第一姿勢に回動されることにより、付属係合部６１１がモータ係合部５２の挿入空間５２２の外部に移動し、付属係合部６１１とモータ係合部５２との係合が解除される。
【００６７】
また、本例において、モータ５には、図示しないトルクキーパーが設けられており、モータ係合部５２のトルクが所定値以上にならないよう構成されている。巻戻工程やコンパクト化工程において、例えば絡まった状態の長尺物２２が巻回された場合、トルクキーパーは、モータ回転軸とモータ係合部５２との間にスリップを生じさせる。これにより、絡まった状態の長尺物２２が巻回されたまま、長尺物２２の巻取りが継続されてケーブルの断線やホースの破損を招くことを防ぐことができる。
【００６８】
次に、本例の作用効果につき説明する。
本例の巻取補助装置１は、モータ５の駆動により、回転伝達部４を介してドラム２１を回転させ、ドラム２１へのリール長尺物２２１の巻き取りを行うよう構成されている。それゆえ、巻取補助装置１により、モータ５の回転力で自動的に巻取リール２のハンドルを回転させ、巻取リール２にリール長尺物２２１を巻き付けることができる。これにより、例えばリース等により貸し出した巻取リール２のメンテナンス時において、洗浄したリール長尺物２２１を巻取リール２に巻き取る作業を容易にすることができる。これに伴い、多数の巻取リール２のメンテナンスも、効率的に行うことができる。
【００６９】
また、モータ５は、そのモータ回転軸がドラム回転軸に沿い、かつ、モータ５の駆動によりモータ５が回転伝達部４を介してドラム２１を回転させる第一姿勢と、第一姿勢の際とモータ回転軸の方向を異なる方向に向けた第二姿勢との間で移動可能に構成されている。それゆえ、第一姿勢においてモータ５を駆動することで、巻取リール２におけるドラム２１へのリール長尺物２２１の巻取作業を補助することができ、モータ５を第二姿勢にすることで、モータ５を他の用途に利用することができる。
【００７０】
また、巻取補助装置１は、付属部材６をさらに有し、付属部材６は、第二姿勢においてモータ５から回転駆動力を受けて回転することにより、単品長尺物２２２を巻取可能な付属巻取部６１を有する。それゆえ、リース等により貸し出した単品長尺物２２２のメンテナンス時において、洗浄した単品長尺物２２２を付属巻取部６１に巻取り、洗浄後の単品長尺物２２２をコンパクトなサイズにすることができる。
【００７１】
また、巻取補助装置１は、モータ５が第一姿勢のとき、モータ係合部５２と伝達係合部４１とが係合し、モータ５が第一姿勢から第二姿勢に移動するとき、モータ係合部５２と伝達係合部４１との係合が解除されるよう構成されている。さらに、巻取補助装置１は、モータ５が第二姿勢のとき、モータ係合部５２と付属係合部６１１とが係合し、モータ５が第二姿勢から第一姿勢に移動するとき、モータ係合部５２と付属係合部６１１との係合が解除されるよう構成されている。それゆえ、モータ５を第一姿勢と第二姿勢との間を移動させることで、巻取リール２におけるドラム２１へのリール長尺物２２１の巻取作業を補助する巻取補助装置１の使用状態と、付属部材６の付属巻取部６１に単品長尺物２２２を巻き取る巻取補助装置１の使用状態とを、容易に変更することができる。
【００７２】
また、巻取補助装置１は、モータ５が第一姿勢のとき、モータ係合部５２及び伝達係合部４１の一方が他方の挿入空間５２２に挿入されることによりモータ係合部５２と伝達係合部４１とが係合する。そして、モータ５が第一姿勢から第二姿勢に移動するとき、モータ係合部５２及び伝達係合部４１の一方が他方の挿入空間５２２の外部に移動することにより、モータ係合部５２と伝達係合部４１との係合が解除される。さらに、モータ５が第二姿勢のとき、モータ係合部５２及び付属係合部６１１の一方が他方の挿入空間５２２に挿入されることによりモータ係合部５２と付属係合部６１１とが係合する。そして、モータ５が第二姿勢から第一姿勢に移動するとき、モータ係合部５２及び付属係合部６１１の一方が他方の挿入空間５２２の外部に移動することにより、モータ係合部５２と付属係合部６１１との係合が解除される。それゆえ、モータ５を第一姿勢と第二姿勢との間で移動させることにより、モータ係合部５２と伝達係合部４１との係合及びその解除、並びに、モータ係合部５２と付属係合部６１１との係合及びその解除を容易に実現することができる。
【００７３】
また、第一姿勢は、モータ５の回転軸が水平方向に沿う方向となる姿勢であり、第二姿勢は、モータ５の回転軸が鉛直方向に沿う方向となる姿勢である。そして、付属巻取部６１は、巻き取られる単品長尺物２２２を下側から支える支持部６１２と、支持部６１２から上側に立設するとともに、単品長尺物２２２を外周側に巻き取る立設部６１３とを有する。このとき、第一姿勢は、モータ回転軸が、通常使用される巻取リール２の姿勢における巻取リール２の回転軸と同じ方向となる姿勢である。それゆえ、巻取リール２を、通常使用される姿勢でリール固定部３に装着すれば、モータ５の回転力を巻取リール２に伝えることができる。さらに、第二姿勢においては、立設部６１３において上下方向に直交する周方向に巻き取った単品長尺物２２２を、支持部６１２において重力方向の下側から支えることができる。それゆえ、付属巻取部６１によって巻き取った単品長尺物２２２を安定して保持することができる。
【００７４】
以上のごとく、本例によれば、巻取リールによる長尺物の巻取りを容易に行うことができる巻取補助装置を提供することができる。
【００７５】
本考案は、前記各実施例に限定されるものではなく、その要旨を逸脱しない範囲において種々の実施例に適用することが可能である。
【００７６】
例えば、実施例１における、モータ係合部と、伝達係合部及び付属係合部との係合構造とを逆にしてもよい。すなわち、例えば伝達係合部及び付属係合部のそれぞれに、複数の区画壁と複数の挿入空間とを形成し、モータ係合部を前記挿入空間に挿入可能な構成にしてもよい。
【００７７】
また、モータ係合部と、伝達係合部及び付属係合部との係合構造は、ギヤ係合等、他の係合構造を採用することも可能である。
【００７８】
また、実施例１においては、モータと回転伝達部とが別体である場合を示したが、モータと回転伝達部とが一体となっていてもよい。この場合、モータ駆動に伴い、回転伝達部が直接的に回転する。また、モータを第二姿勢にした場合においては、回転伝達部を付属係合部に係合させることで、付属巻取部を回転させ、付属巻取部に長尺物を巻回させることができる。
【符号の説明】
【００７９】
１  巻取補助装置
２  巻取リール
２１  ドラム
２２  長尺物
３  リール固定部
４  回転伝達部
４１  伝達係合部
５  モータ
５２  モータ係合部
５２１  区画壁
５２２  挿入空間
６  付属部材
６１  付属巻取部
６１１  付属係合部
６１２  支持部
６１３  立設部
【図１】
0003221522.tif 000003
【図２】
0003221522.tif 000004
【図３】
0003221522.tif 000005
【図４】
0003221522.tif 000006
【図５】
0003221522.tif 000007
【図６】
0003221522.tif 000008
【図７】
0003221522.tif 000009
【図８】
0003221522.tif 000010
【図９】
0003221522.tif 000011
【図１０】
0003221522.tif 000012
【図１１】
0003221522.tif 000013
【図１２】
0003221522.tif 000014
【図１３】
0003221522.tif 000015
【図１４】
0003221522.tif 000016
【図１５】
0003221522.tif 000017